(57)【特許請求の範囲】
【請求項１】
入力される画像信号に基づいて所定の投影範囲で画像を投影する投影手段と、
現在時刻を計時する計時手段と、
上記現在時刻を表示するかを判定する判定手段と、
上記判定手段が上記現在時刻を表示しないと判定した場合、上記投影手段で前記投影範囲で前記画像を投影し、上記判定手段が上記現在時刻を表示すると判定した場合、上記投影手段で前記投影範囲で前記画像を投影すると共に上記計時手段が計時する現在時刻からアナログ時計の時針位置及び分針位置に該当する画像を生成し上記投影手段で投影する前記投影範囲の枠外に前記現在時刻に基づいた時間を表す画像を併せて投影させる投影制御手段と
を具備したことを特徴とする投影装置。
【請求項２】
入力される画像信号に基づいて所定の投影範囲で画像を投影する投影部を備えた投影装置での投影方法であって、
現在時刻を計時する計時工程と、
上記現在時刻を表示するかを判定する判定工程と、
上記判定工程が上記現在時刻を表示しないと判定した場合、上記投影部で前記投影範囲で前記画像を投影し、上記判定工程が上記現在時刻を表示すると判定した場合、上記投影部で前記投影範囲で前記画像を投影すると共に上記計時工程が計時する現在時刻からアナログ時計の時針位置及び分針位置に該当する画像を生成し上記投影部で投影する前記投影範囲の枠外に前記現在時刻に基づいた時間を表す画像を併せて投影させる投影制御工程と
を有したことを特徴とする投影方法。
【請求項３】
入力される画像信号に基づいた画像を投影する投影部を備えた投影装置が内蔵したコンピュータが実行するプログラムであって、
現在時刻を計時する計時ステップと、
上記現在時刻を表示するかを判定する判定ステップと、
上記判定ステップが上記現在時刻を表示しないと判定した場合、上記投影部で前記投影範囲で前記画像を投影し、上記判定ステップが上記現在時刻を表示すると判定した場合、上記投影部で前記投影範囲で前記画像を投影すると共に上記計時ステップが計時する現在時刻からアナログ時計の時針位置及び分針位置に該当する画像を生成し上記投影部で投影する前記投影範囲の枠外に前記現在時刻に基づいた時間を表す画像を併せて投影させる投影制御ステップと
をコンピュータに実行させることを特徴とするプログラム。
【発明の詳細な説明】
【技術分野】
【０００１】
本発明は、例えばパーソナルコンピュータと接続してプレゼンテーションを行なうのに好適な投影装置、投影方法及びプログラムに関する。
【背景技術】
【０００２】
従来、入力された画像データに基づいてディスプレイに画像データを表示すると共に、時刻を示す時計の画像をディスプレイ上の画像に重ねて表示し、ディスプレイ上の画像に光を照射してその画像を拡大投影するようなプロジェクタ装置が考えられていた。（例えば、特許文献１）
【特許文献１】特開平１０−０２６７９９号公報
【発明の開示】
【発明が解決しようとする課題】
【０００３】
しかしながら、投影する画像中に時刻を示す時計の画像を重ねるということは、その時計の画像が重ねられている部分の元の画像が隠れてしまうことを意味する。したがって、時計を表示する位置によっては、本来表示すべき画像の一部が隠れてしまい、投影に支障を来すことも充分あり得る。
【０００４】
本発明は上記のような実情に鑑みてなされたもので、その目的とするところは、本来投影すべき画像の内容を阻害することなく、時間に関する情報も併せて投影することが可能な投影装置、投影方法及びプログラムを提供することにある。
【課題を解決するための手段】
【０００５】
請求項１記載の発明は、入力される画像信号に基づいて所定の投影範囲で画像を投影する投影手段と、現在時刻を計時する計時手段と、上記現在時刻を表示するかを判定する判定手段と、上記判定手段が上記現在時刻を表示しないと判定した場合、上記投影手段で前記投影範囲で前記画像を投影し、上記判定手段が上記現在時刻を表示すると判定した場合、上記投影手段で前記投影範囲で前記画像を投影すると共に上記計時手段が計時する現在時刻からアナログ時計の時針位置及び分針位置に該当する画像を生成し上記投影手段で投影する前記投影範囲の枠外に前記現在時刻に基づいた時間を表す画像を併せて投影させる投影制御手段とを具備したことを特徴とする。
【発明の効果】
【００１１】
本発明によれば、本来投影すべき画像の内容を阻害することなく、時間に関する情報も併せて投影することが可能となる。
【発明を実施するための最良の形態】
【００１２】
（第１の実施形態）  
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の第１の実施形態について図面を参照して説明する。
【００１３】
図１は、本実施形態に係るデータプロジェクタ装置１０の概略機能構成について示す図である。同図で、１１は入出力コネクタ部であり、例えばピンジャック（ＲＣＡ）タイプのビデオ入力端子、ＲＧＢ入力端子、及びＵＳＢ端子からなる。
【００１４】
入出力コネクタ部１１より入力される各種規格の画像信号は、入出力インタフェース（Ｉ／Ｆ）１２、システムバスＳＢを介して画像変換部１３で投影に適した所定のフォーマットの画像信号に統一された後に、投影駆動部１４へ送られる。
【００１５】
この際、ＯＳＤ（Ｏｎ  Ｓｃｒｅｅｎ  Ｄｉｓｐｌａｙ）用の各種キャラクタやポインタ、さらには後述する時間情報に応じたフレーム画像等も必要に応じて画像信号に重畳加工された状態で投影駆動部１４へ送られる。
【００１６】
投影駆動部１４は、送られてきた画像信号をビデオＲＡＭ１５に展開して記憶させた上で、このビデオＲＡＭ１５の記憶内容からビデオ信号を生成する。投影駆動部１４は、このビデオ信号のフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００１７】
一方、リフレクタ１７内に配置された、例えば超高圧水銀灯を用いた光源ランプ１８が高輝度の白色光を出射する。光源ランプ１８の出射した白色光は、高速回転するカラーホイール１９を介して時分割で原色に着色され、インテグレータ２０で輝度分布が均一な光束とされた後にミラー２１で全反射して上記マイクロミラー素子１６に照射される。
【００１８】
そして、マイクロミラー素子１６での反射光で光像が形成され、形成された光像が光学レンズユニット２２を介して、投影対象となるここでは図示しないスクリーンに投影表示される。
【００１９】
光学レンズユニット２２は、マイクロミラー素子１６で形成された光像を拡大してスクリーン等の対象に投影するものであり、合焦位置及びズーム位置（投影画角）を任意に可変できるものとする。
【００２０】
すなわち、光学レンズユニット２２中の図示しないフォーカスレンズ及びズームレンズは共に光軸方向に沿って前後に移動することで制御されるもので、それらレンズはステッピングモータ（Ｍ）２３の回動駆動により移動する。
【００２１】
なお、上記カラーホイール１９の終端部に対向するようにマーカセンサ２４が近接配置され、このマーカセンサ２４がカラーホイール１９に設けられた図示しないマーカの通過を検出して検出信号を上記投影駆動部１４へ送出する。
【００２２】
投影駆動部１４は、マーカセンサ２４からの検出信号によりマイクロミラー素子１６での駆動タイミングを調整する。
【００２３】
また、上記光源ランプ１８の点灯駆動、上記カラーホイール１９用のモータ（Ｍ）２５の回転駆動、及び上記ステッピングモータ２３の回動駆動をいずれも投影光処理部２６が実行する。
【００２４】
上記各回路の動作すべてをＣＰＵ２７が制御する。このＣＰＵ２７は、動作プログラムや各種定型データ等を記憶した不揮発性メモリでなるプログラムメモリ２８、シンクロナスＤＲＡＭでなるメインメモリ２９を用いてこのデータプロジェクタ装置１０内の制御動作を実行する。
【００２５】
上記ＣＰＵ２７にはさらに、上記システムバスＳＢを介してキースイッチ部３０、計時部３１、及び音声処理部３２が接続される。
【００２６】
キースイッチ部３０は、電源キー、フォーカスキー、ズームキー、カーソル（「↑」「↓」「←」「→」）キー、メニューキー、エンターキー、キャンセルキー等からなる。
【００２７】
これらキースイッチ部３０の各キーを用いてユーザが任意の操作を行なうと、そのキー操作に応じた操作信号がＣＰＵ２７へ入力され、ＣＰＵ２７はキースイッチ部３０からの入力に応じて制御動作を実行する。
【００２８】
計時部３１は、バックアップ電池を備え、このデータプロジェクタ装置１０の電源のオン／オフに関係なく現在の時刻情報を計時し続けるもので、ＣＰＵ２７は適宜この計時部３１の計時する時刻情報を読出す。。
【００２９】
音声処理部３２は、ＰＣＭ音源等の音源回路を備え、投影動作時に与えられる音声データをアナログ化し、このデータプロジェクタ装置１０の本体ケーシングの例えば背面に設けられるスピーカ３３を駆動して拡声放音させ、あるいは必要によりビープ音等を発生させる。
【００３０】
次に上記実施形態の動作について説明する。  
以下に示す動作は、いずれもＣＰＵ２７がプログラムメモリ２８に記憶された動作プログラムを読出して実行することにより制御される。
【００３１】
図２は、電源オン後に実行される、主として時刻表示を伴う画像投影時の処理内容を示すものである。
【００３２】
その動作当初には、キースイッチ部３０のメニューキーが操作されたか否かを判断する（ステップＳ１０１）。
【００３３】
ここでメニューキーが操作されていない場合には、次にメインメモリ２９に設定する時刻表示の有無を設定するフラグレジスタＦの内容が「１」となっているか否かにより、時刻表示を併せて行なう設定となっているか否かを判断する（ステップＳ１０７）。
【００３４】
ここでフラグレジスタＦの内容が「１」ではなく「０」であると判断した場合には、時刻表示を併せて行なう設定とはなっておらず、入出力コネクタ部１１より入力される画像信号に応じた画像のみを投影するものとして、マイクロミラー素子１６で投影画像を表示し、その光像を光学レンズユニット２２より投影対象となる図示しないスクリーンに向けて投影させた後（ステップＳ１０９）、再び上記ステップＳ１０１からの処理に戻る。
【００３５】
また、上記ステップＳ１０１でキースイッチ部３０のメニューキーが操作されたと判断すると、次いで一覧表示されるメニュー項目の中から「時刻表示」の設定が選択されたか否かを判断する（ステップＳ１０２）。
【００３６】
ここで「時刻表示」以外のメニュー項目が選択されたと判断した場合には、その選択されたメニュー項目に対応した処理を実行するが、本発明には直接関連がないものとして、ここではその詳細については省略するものとし（ステップＳ１０３）、その後に上記ステップＳ１０７に至る。
【００３７】
しかして、上記ステップＳ１０２で「時刻表示」のメニュー項目が選択されたと判断した場合、その時点でメインメモリ２９のフラグレジスタＦの内容が「１」であるか否か、すなわち、すでに時刻表示を併せて行なう設定となっているか否かを判断する（ステップＳ１０４）。
【００３８】
ここで、フラグレジスタＦの内容が「１」であり、すでに時刻表示を併せて行なう設定となっていると判断すると、上記ステップＳ１０２での判断結果に対応してその状態を反転設定するべくフラグレジスタＦの内容をリセットして「０」とした後に（ステップＳ１０５）、上記ステップＳ１０７に至る。
【００３９】
反対に、上記ステップＳ１０４でフラグレジスタＦの内容が「１」ではなく「０」であり、時刻表示を併せて行なう設定とはなっていないと判断すると、上記ステップＳ１０２での判断結果に対応してその状態を反転設定するべくフラグレジスタＦの内容をあらためて「１」とした後に（ステップＳ１０６）、上記ステップＳ１０７に至る。
【００４０】
さらに、上記ステップＳ１０７でフラグレジスタＦの内容が「１」であると判断した場合には、時刻表示を併せて行なう設定となっているので、入出力コネクタ部１１より入力される画像信号にＯＳＤデータで枠外にアナログ時計の短針（時針）及び長針（分針）を表す時刻情報を付加して投影するものとして、マイクロミラー素子１６で投影画像を表示し、その光像を光学レンズユニット２２より投影対象となる図示しないスクリーンに向けて投影させた後（ステップＳ１０８）、再び上記ステップＳ１０１からの処理に戻る。
【００４１】
図３は、上記ステップＳ１０８での処理によって光学レンズユニット２２からスクリーンに向けて投影される画像を例示するものである。同図で、破線で示す範囲ＩＦが入出力コネクタ部１１に入力される画像信号に応じた画像の投影範囲を示すものである。この画像範囲ＩＦは実際の投影画像中で視認できるものではなく、その位置を正確に判別できるものではないが、上記ステップＳ１０９の処理による投影時には、この画像範囲ＩＦ内でのみ投影が実行されるものとなる。
【００４２】
加えて、この画像範囲ＩＦの枠外において、上述した如くアナログ時計を模した時針マークＨＭ及び分針マークＭＭを併せて投影することで、現在の時刻、ここでは「３時００分」を示している。
【００４３】
この場合、画像範囲ＩＦの枠外にあって、図中に点線ＭＦで示すように時針マークＨＭがその内周側に位置する一方で、分針マークＭＭはその外周側に位置するものとしてこれらの画像を生成する。
【００４４】
さらに、時針マークＨＭと分針マークＭＭとを容易に判別できるように、時針マークＨＭを分針マークＭＭより大きな矩形で示すものとする。
【００４５】
したがって、当然ながら分針マークＭＭの移動角速度は時針マークＨＭの移動角速度の１２倍であり、投影途中で分針マークＭＭが時針マークＨＭよりも明らかに早い速度で画像中を移動することも合わせて、この投影画像を見るユーザは、どちらがアナログ時計の時針でどちらが分針を模しているのかを容易に判別することができ、現在の時刻が即時判断できる。なお、時針マークＨＭと分針マークＭＭとは異なる色で投影させるものとしてもよい。
【００４６】
このように本実施形態によれば、本来投影すべき画像の内容を全く阻害することなく、時間に関する情報としての時刻も併せて投影することが可能となる。
【００４７】
この場合、特に時間情報としては現在の時刻を投影するものとしたので、例えば暗い環境下で運転されることが多いデータプロジェクタ装置１０のような装置により、各ユーザが時針の腕時計や携帯電話等を用いることなく、現在の時刻を知ることができる。
【００４８】
加えて、現在時刻を表示するに当たっては、本来投影すべき画像の範囲外で、上記図３に示した如くアナログ時計を模した時針及び長針の位置を簡易なマークにより表すものとしたので、数字を用いる場合に比して、より細い枠外フレームで必要な時刻情報を表現することができる。
【００４９】
なお、上記実施形態では時針マークＨＭと分針マークＭＭとを画像範囲ＩＦの外部で表示するものとしたが、さらにその外周側で秒針に相当するマークを同時に投影させるものとしてもよい。その場合、秒針に相当するマークは分針マークＭＭのさらに６０倍の角速度で移動することになるので、時針、分針、及び秒針の位置関係をより直感的に容易に理解することができる。
【００５０】
（第２の実施形態）  
以下本発明をＤＬＰ（登録商標）方式のデータプロジェクタ装置に適用した場合の第２の実施形態について図面を参照して説明する。
【００５１】
なお、本実施形態に係るデータプロジェクタ装置の概略機能構成については、上記図１に示したものと基本的に同様であるものとし、同一部分には同一符号を付して図示とその説明とを省略する。
【００５２】
また、計時部３１は、上記第１の実施形態でのような現在の時刻を計時するのではなく、例えば１分〜９９分の範囲内で分単位で任意に設定された時間をダウンカウントするカウントダウンタイマーとして機能するものとする。
【００５３】
さらに、図示はしないが本データプロジェクタ装置１０の入出力コネクタ部１１に接続され、画像信号を送ってくる外部機器、例えばパーソナルコンピュータでは、データプロジェクタ装置１０側からの要求に応答して投影を行なうことが可能な複数の画像ファイルの一覧リスト等を画像信号化し、データプロジェクタ装置１０に対して出力することができるものとする。
【００５４】
次に上記実施形態の動作について説明する。  
以下に示す動作は、いずれもＣＰＵ２７がプログラムメモリ２８に記憶された動作プログラムを読出して実行することにより制御される。
【００５５】
図２は、電源オン後に実行される、主としてタイマー表示を伴う画像投影時の処理内容を示すものである。
【００５６】
その動作当初には、キースイッチ部３０のメニューキーが操作されたか否かを判断する（ステップＳ２０１）。
【００５７】
ここでメニューキーが操作されていない場合には、タイマ表示を併せて行なう状態とはなっておらず、入出力コネクタ部１１より入力される画像信号に応じた画像のみを投影するものとして、マイクロミラー素子１６で投影画像を表示し、その光像を光学レンズユニット２２より投影対象となる図示しないスクリーンに向けて投影させた後（ステップＳ２０４）、再び上記ステップＳ２０１からの処理に戻る。
【００５８】
また、上記ステップＳ２０１でキースイッチ部３０のメニューキーが操作されたと判断すると、次いで一覧表示されるメニュー項目の中から「タイマー表示」の設定が選択されたか否かを判断する（ステップＳ２０２）。
【００５９】
ここで「タイマー表示」以外のメニュー項目が選択されたと判断した場合には、その選択されたメニュー項目に対応した処理を実行するが、本発明には直接関連がないものとして、ここではその詳細については省略するものとし（ステップＳ２０３）、その後に上記ステップＳ２０４に至る。
【００６０】
そして、上記ステップＳ２０２で「タイマー表示」のメニュー項目が選択されたと判断した場合、このデータプロジェクタ装置１０に画像信号を供給している外部機器に対して画像信号の一覧リストを送信するような要求コマンドを送信し、そのコマンドに応答して一覧リスト信号が送られてくるとこれを画像化し、光学レンズユニット２２より投影対象であるスクリーンに向けて投影する（ステップＳ２０５）。
【００６１】
この一覧リストの投影に対して、いずれかの画像ファイルを選択する操作がなされたか否かを判断し（ステップＳ２０６）、操作がなされない場合は上記ステップＳ２０５に戻る、という処理を繰返すことで、いずれかの画像ファイルが選択されるのを待機する。
【００６２】
そして、画像ファイルの選択操作がなされると、上記ステップＳ２０６でそれを判断し、次いでタイマーの設定時間を任意に選択する画像を生成して投影させる（ステップＳ２０７）。
【００６３】
この投影状態で、ユーザによるタイマーの設定時間が選択されたか否かを判断し（ステップＳ２０８）、選択されない場合は上記ステップＳ２０７に戻る、という処理を繰返すことで、タイマーの設定時間が選択されるのを待機する。
【００６４】
ここでは、上述した如く１分〜９９分の範囲内で分単位でタイマーの設定時間を任意に選択することができるものとする。
【００６５】
そして、タイマーの設定時間が選択されると、上記ステップＳ２０８でそれを判断し、その時間で計時部３１がダウンカウントを行なうようにセットする（ステップＳ２０９）。
【００６６】
その後、実際に計時部３１での計時を開始するためのキー操作がなされるのを待機する（ステップＳ２１０）。これは、計時の開始を指示するためのキースイッチ部３０のキー操作を促すような画像を投影する一方で、そのキー操作がなされたか否かを繰返し判断する。
【００６７】
そして、計時の開始を指示するキー操作がなされた時点で、上記ステップＳ２１０でそれを判断し、計時部３１でのダウンカウントとを開始させると共に、画像ファイルの再生開始を指示するコマンドを入出力コネクタ部１１に接続された外部機器側へ送信する（ステップＳ２１１）。
【００６８】
以後、上記ステップＳ２０６で選択されたと判断した画像ファイルの画像信号を入出力コネクタ部１１より入力し、その画像信号にＯＳＤデータで枠外に計時部３１でのダウンカウント値を表す時間情報を付加して投影するものとして、マイクロミラー素子１６で投影画像を表示し、その光像を光学レンズユニット２２より投影対象となる図示しないスクリーンに向けて投影させる（ステップＳ２１２）。
【００６９】
この投影状態において、計時部３１のダウンカウント値が「０」となったか否かによりタイムアップか否かを判断し（ステップＳ２１３）、まだであれば上記ステップＡ２１２に戻る、という処理を繰返すことで、設定したタイマー値に相当する時間分だけ選択した画像ファイルの投影を行なう。。
【００７０】
図５は、上記ステップＳ２１２での処理によって光学レンズユニット２２からスクリーンに向けて投影される画像を例示するものである。同図で、破線で示す範囲ＩＦが入出力コネクタ部１１に入力される画像信号に応じた画像の投影範囲を示すものである。この画像範囲ＩＦは実際の投影画像中で視認できるものではなく、その位置を正確に判別できるものではないが、上記ステップＳ２０４の処理による投影時には、この画像範囲ＩＦ内でのみ投影が実行されるものとなる。
【００７１】
加えて、この画像範囲ＩＦの枠外において、上記ステップＳ２０９でセットしたタイマー時間を全周としてその経過時間の割合をスケール表示ＳＬにより表している。同図では、残り時間がセットしたタイマー時間の半分を切った状態を例示するものであり、時間の経過と共にスケール表示ＳＬが徐々に短くなっていく。
【００７２】
しかして、上記ステップＳ２１２，Ｓ２１３の処理を繰返し実行しながら投影を続行する過程で、セットしたタイマー時間が経過すると、上記ステップＳ２１３でタイムアップしたものとして判断し、必要により音声処理部３２を介してスピーカ３３でビープ音等を鳴動させると共に、以上で画像範囲ＩＦ外のスケール表示ＳＬの表示を停止し（ステップＳ２１４）、上記ステップＳ２０１からの処理に移行する。
【００７３】
したがって、タイマー時間が経過した後は、上記ステップＳ２０４での処理により画像範囲ＩＦ内のみの投影画像に切換えられる。
【００７４】
このように本実施形態によれば、本来投影すべき画像の内容を全く阻害することなく、時間に関する情報としての時刻も併せて投影することが可能となる。
【００７５】
この場合、特に時間情報としては任意に設定した時間に対する経過時間に対する経過時間の割合をスケール表示するものとしたので、特にデータプロジェクタ装置１０に外部機器としてのパーソナルコンピュータ等を接続してプレゼンテーションを行なう場合など、全体の進行状況を画像と共に視覚的に理解しやすい形態で表現することができる。
【００７６】
なお、上記第２の実施形態では、計時部３１がダウンカウントを行なうものとし、画像範囲ＩＦに投影するスケール表示ＳＬが順次減って短くなる場合について例示したが、本発明はこれに限ることなく、計時部３１が設定したタイマー時間を上限とした計時動作を行ない、設定したタイマー時間の経過の割合を順次スケール表示ＳＬが伸びて長くなるように表現することも同様に可能である。
【００７７】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００７８】
【図１】本発明の第１の実施形態に係るデータプロジェクタ装置の概略機能回路構成を示すブロック図。
【図２】同実施形態に係る主として時刻表示を伴う画像投影時の処理内容を示すフローチャート。
【図３】同実施形態に係る時刻表示を伴う投影画像を例示する図。
【図４】本発明の第２の実施形態に係る主としてタイマ表示を伴う画像投影時の処理内容を示すフローチャート。
【図５】同実施形態に係るタイマ表示を伴う投影画像を例示する図。
【符号の説明】
【００７９】
１０…データプロジェクタ装置、１１…入出力コネクタ部、１２…入出力インタフェース（Ｉ／Ｆ）、１３…画像変換部、１４…投影駆動部、１５…ビデオＲＡＭ、１６…マイクロミラー素子、１７…リフレクタ、１８…光源ランプ、１９…カラーホイール、２０…インテグレータ、２１…ミラー、２２…光学レンズユニット、２３…ステッピングモータ（Ｍ）、２４…マーカセンサ、２５…モータ（Ｍ）、２６…投影光処理部、２７…ＣＰＵ、２８…プログラムメモリ、２９…メインメモリ、３０…キースイッチ部、３１…計時部、３２…音声処理部、３３…スピーカ、ＨＭ…時針マーク、ＩＦ…画像範囲、ＭＦ…時分境界フレーム、ＭＭ…分針マーク、３８…、３９…、４０…、ＳＢ…システムバス。
【図１】
0005753335.tif 000002
【図２】
0005753335.tif 000003
【図３】
0005753335.tif 000004
【図４】
0005753335.tif 000005
【図５】
0005753335.tif 000006